(57)【要約】【課題】  タイムシフト再生中の録画を可能とし、かつ、録画の指示中タイムシフト再生をそのまま継続できる記録再生装置を提供する。【解決手段】  記録媒体の一部をバッファ領域として確保し、前記バッファ領域に記録しつつ再生するタイムシフト再生機能を備えた記録再生装置において、タイムシフト再生中の録画を指示する手段、及び、前記タイムシフト再生中の録画指示手段に応答して、前記バッファ領域より読み出したタイムシフト再生中の再生信号を記録する手段とを備えた構成とする。【選択図】      図１
2006331576.tif 000002
【特許請求の範囲】
【請求項１】
記録媒体の一部をバッファ領域として確保し、前記バッファ領域に記録しつつ再生するタイムシフト再生機能を備えた記録再生装置において、
タイムシフト再生中の録画を指示する手段、及び、前記タイムシフト再生中の録画指示手段に応答して、前記バッファ領域より読み出したタイムシフト再生中の再生信号を記録する手段と、
を備えてなることを特徴とする記録再生装置。
【請求項２】
前記記録再生装置は交換可能なディスクを記録媒体とするＢＤ装置またはＤＶＤ装置を含み、
タイムシフト再生中に録画指示された際、タイムシフト再生中の再生信号を前記ＢＤ装置またはＤＶＤ装置内の記録媒体に記録することを特徴とする請求項１に記載の記録再生装置。
【請求項３】
前記記録再生装置において、
タイムシフト再生中の再生信号がハイビジョン信号か否かを検出するハイビジョン信号検出手段を備え、
前記ハイビジョン信号検出手段の結果によりタイムシフト再生中の再生信号を選択記録する手段
を有することを特徴とする請求項１に記載の記録再生装置。
【請求項４】
前記記録再生装置はＨＤＤを含み、前記ＨＤＤにより前記タイムシフト再生のバッファ領域を形成してなることを特徴とする請求項１乃至３いずれかに記載の記録再生装置。
【請求項５】
記録媒体の一部をバッファ領域として確保し、前記バッファ領域に記録しつつ再生するタイムシフト再生機能を備えた記録再生装置において、
前記タイムシフト再生のバッファ領域を形成するＨＤＤと、交換可能なディスクを記録媒体とするＢＤ装置及びＤＶＤ装置と、
タイムシフト再生中の録画を指示する手段と、
前記タイムシフト再生中の録画指示手段に応答して、前記ＨＤＤのバッファ領域より読み出す手段と、
前記タイムシフト再生中の再生信号がハイビジョン信号か否かを検出するハイビジョン信号検出手段と、
前記ハイビジョン信号検出手段の結果により、前記タイムシフト再生中の再生信号をハイビジョン信号の場合はＢＤ装置内の記録媒体、ハイビジョン信号でない場合はＤＶＤ装置内の記録媒体に選択記録する選択記録手段と、
を備えてなることを特徴とする記録再生装置。
【発明の詳細な説明】
【技術分野】
【０００１】
本発明は記録再生装置に関し、より詳細にはタイムシフト再生機能を備えた記録再生装置に関する。
【背景技術】
【０００２】
最近の記録再生装置は、マルチメディア時代の要望に応えるために、大容量データの記憶媒体としてＤＶＤ（Digital Versatile Disk）を記録媒体に用いたＤＶＤ装置と大容量かつ安価なハードディスク装置（ＨＤＤ）とを備えているのが一般的である。
【０００３】
一方、従来のＤＶＤに比べて記録容量を増大させた光ディスクとして、ブルーレイディスク（Blu-ray Disc：登録商標、以下「ＢＤ」と言う）やＨＤ  ＤＶＤ（High Definition ＤＶＤ）を用いたディスク装置も商品化されており、更に前記ＤＶＤ装置とＨＤＤまでも一体化された装置も商品化されている。
【０００４】
これらの装置の多くは、大容量のメリットを生かし一部を所定時間記録可能なバッファ領域として確保しておき、映像・音声等のデータを記録しつつ所定時間分遡って再生できるタイムシフト再生（時間差再生）機能を備えている。タイムシフト再生は、データアクセスのしやすさから場所が固定されたバッファ領域を使用しているので、所定時間分記録されると古いデータに順次上書きされるためデータが残らない。
【０００５】
しかし、特許文献１の情報記録再生装置には、タイムシフト再生中に録画操作があったとき、同じ記録媒体制御装置内に記録することでデータを残す方法が記載されている。図３のフローチャートに示すようにタイムシフト再生中に録画操作がある（Ｓ１）と、まず、タイムシフト再生を停止し（Ｓ２）バッファ領域の記録を停止する（Ｓ３）。次に、現在時刻からの番組データを録画領域に記録し（Ｓ４）、録画終了後にタイムシフト再生用バッファ領域内にある録画操作されたときからステップＳ３で停止されるまでのデータを録画領域に転写する（Ｓ７）ことで、記録保存できるようにしている。
【０００６】
【特許文献１】特開２００３−１３４４６４号公報
【発明の開示】
【発明が解決しようとする課題】
【０００７】
しかしながら、タイムシフト再生は実際に放送されている番組に対して過去の部分を視聴していることになるので、放送されている番組と視聴している番組の間には時間的なずれが生じている。よって、録画操作をした瞬間タイムシフト再生が停止してしまい、視聴しているシーンから実際に放送している番組のシーンに切り換わってしまうため、スキップ操作をしたようにストーリーが飛んでしまうので、場合によっては番組内容が全くわからなくなってしまい、続けて視聴することができないなど不便なものである。
【０００８】
更に、タイムシフト再生中に録画操作したときには既にその番組が終了している場合やタイムシフト再生に設定された時間より短い番組を記録する場合は目的外の番組も記録されてしまっているので、記録終了後に編集作業により余分な番組の消去等を行う必要があり、操作性において不便なものである。
【０００９】
また、一般的に、ＨＤＤは故障により録画したデータが失われることもあるため保存する場合には録画保存可能な媒体である光ディスクやテープ等への記録が推奨されているので、ＨＤＤに記録するような装置では、再度ダビング等の操作による複写や移動が必要となり、時間と手間が掛かってしまう。
【００１０】
本発明は、タイムシフト再生中の録画を可能として、かつ、録画の指示中タイムシフト再生をそのまま継続できる記録再生装置を提供することを目的とする。
【課題を解決するための手段】
【００１１】
上記の目的を達成するため、記録媒体の一部をバッファ領域として確保し、前記バッファ領域に記録しつつ再生するタイムシフト再生機能を備えた記録再生装置において、タイムシフト再生中の録画を指示する手段、及び、前記タイムシフト再生中の録画指示手段に応答して、前記バッファ領域より読み出したタイムシフト再生中の再生信号を記録する手段とを備えた構成とする。
【００１２】
また、前記記録再生装置は交換可能なディスクを記録媒体とするＢＤ装置又はＤＶＤ装置を含み、タイムシフト再生中に録画指示された際、タイムシフト再生中の再生信号を前記ＢＤ装置またはＤＶＤ装置に記録する構成とする。
【００１３】
また、前記記録再生装置において、タイムシフト再生中の再生信号がハイビジョン信号か否かを検出するハイビジョン信号検出手段を備え、前記ハイビジョン信号検出手段の結果によりタイムシフト再生中の再生信号を選択記録する手段を備えた構成とする。
【００１４】
また、前記記録再生装置はＨＤＤを含み、前記ＨＤＤにより前記タイムシフト再生のバッファ領域を形成した構成とする。
【００１５】
また、記録媒体の一部をバッファ領域として確保し、前記バッファ領域に記録しつつ再生するタイムシフト再生機能を備えた記録再生装置において、前記タイムシフト再生のバッファ領域を形成するＨＤＤと、交換可能なディスクを記録媒体とするＢＤ装置及びＤＶＤ装置と、タイムシフト再生中の録画を指示する手段と、前記タイムシフト再生中の録画指示手段に応答して、前記ＨＤＤのバッファ領域より読み出す手段と、前記タイムシフト再生中の再生信号がハイビジョン信号か否かを検出するハイビジョン信号検出手段と、前記ハイビジョン信号検出手段の結果により、前記タイムシフト再生中の再生信号をハイビジョン信号の場合はＢＤ装置内の記録媒体、ハイビジョン信号でない場合はＤＶＤ装置内の記録媒体に選択記録する選択記録手段とを備えた構成とする。
【発明の効果】
【００１６】
本発明の記録再生装置によれば、タイムシフト再生中に録画を開始したときも終了したときでもタイムシフト再生が停止しないので、ストーリーが飛んでしまうようなことがなくなりタイムシフト再生を視聴し続けることができる。
【００１７】
更に、タイムシフト再生中にその再生している番組データを記録しているので、タイムシフト再生を視聴したまま録画でき、番組の内容を確認しながら録画停止の操作もできるため、目的の番組を希望する所まで確実に記録することができる。
【発明を実施するための最良の形態】
【００１８】
図１は、本発明の実施形態に係る記録再生装置を示すブロック図である。本実施形態の記録再生装置は、ＨＤＤ１２、ＢＤ装置１３及びＤＶＤ装置１７の３種類の記録媒体制御装置を備え、ＨＤＤ１２及びＢＤ装置１３内の記録媒体にはＴＳ（トランスポートストリーム）方式で記録再生が行われ、ＤＶＤ装置１７内の記録媒体にはＰＳ（プログラムストリーム）方式で記録再生が行われる。
【００１９】
ＴＳコントローラ１１と、ＴＳコントローラ１１に接続されＴＳ方式の記録再生が可能である少なくとも２つの記録媒体制御装置であるＨＤＤ１２、ＢＤ装置１３と、ＴＳデコーダ１４に加え、ＴＳ／ＰＳエンコーダ１５と、ＰＳコントローラ１６と、ＰＳコントローラ１６に接続されＰＳ方式の記録再生が可能である少なくとも１つの記録媒体制御装置であるＤＶＤ装置１７と、ＰＳデコーダ１８と、更に、装置全体の制御を行う制御部２１と、制御部２１に接続された操作部２２とにより構成される。
【００２０】
ここで、ＴＳコントローラ１１は、記録再生される信号に対するハイビジョン信号検出部を有している。ＴＳ／ＰＳエンコーダ１５とは、入力されたアナログ信号をＴＳ方式あるいはＰＳ方式へ符号化を行うエンコーダである。また、ＳＷ１は、入力されたアナログ信号と、ＴＳデコーダ１４あるいはＰＳデコーダ１８により復号されたアナログ信号とを入力選択するスイッチであり、ＳＷ２は、デジタル信号と、ＴＳ／ＰＳエンコーダ１５により符号化されたＴＳとを入力選択するスイッチであり、ＳＷ３は、ＴＳデコーダ１４により復号されたアナログ信号と、ＰＳデコーダ１８により復号されたアナログ信号とを出力選択するスイッチである。
【００２１】
まず始めに、ＨＤＤ１２またはＢＤ装置１３内の記録媒体に記録する手順について説明する。操作部２２に備えられた録画ボタンの操作情報が制御部２１に入力されると、制御部２１はＳＷ１、２の切り換えやＴＳコントローラ１１を記録モードにする制御を行う。アナログチューナーや外部入力等のアナログ信号がＳＷ１を経由し、ＴＳ／ＰＳエンコーダ１５でＴＳ方式へ符号化される。この信号とデジタルチューナーやｉ−ＬＩＮＫ等からのデジタル信号とがＳＷ２で選択され、ＴＳコントローラ１１で所定のストリーム変換処理を施された後、ＨＤＤ１２またはＢＤ装置１３内の記録媒体に記録される。
【００２２】
更に、ＨＤＤ１２またはＢＤ装置１３内の記録媒体から再生する手順は、操作部２２に備えられた再生ボタンの操作情報が制御部２１に入力され、ＳＷ３の切り換えやＴＳコントローラ１１を再生モードにする制御を行う。ＨＤＤ１２またはＢＤ装置１３内の記録媒体から読み出されたデータが、ＴＳコントローラ１１により所定のストリーム変換処理を施された後、ＴＳデコーダ１４により復号されＳＷ３を経由して外部に出力される。
【００２３】
次に、ＤＶＤ装置１７内の記録媒体に記録する手順について説明する。操作部２２に備えられた録画ボタンの操作情報が制御部２１に入力されると、制御部２１はＳＷ１の切り換えやＰＳコントローラ１６を記録モードにする制御を行う。アナログチューナーや外部入力等のアナログ信号とＴＳデコーダ１４にて復号されＳＷ３を経由した復号アナログ信号とがＳＷ１で選択され、ＴＳ／ＰＳエンコーダ１５でＰＳ方式に符号化され、ＰＳコントローラ１６により所定のストリーム変換処理を施された後、ＤＶＤ装置１７内の記録媒体に記録される。
【００２４】
更に、ＤＶＤ装置１７内の記録媒体から再生する手順は、操作部２２に備えられた再生ボタンの操作情報が制御部２１に入力され、スイッチＳＷ３の切り換えやＰＳコントローラ１６を再生モードにする制御を行う。記録媒体から読み出されたデータが、ＰＳコントローラ１６により所定のストリーム変換処理を施された後、ＰＳデコーダ１８により復号されＳＷ３を経由して外部に出力される。
【００２５】
次に、タイムシフト再生については、バッファ領域を容易に確保できる大きな容量を持ち、かつ高速アクセスが可能であるＨＤＤ１２を使用することが多い。本実施形態においても一実施例としてＨＤＤ１２を使用したタイムシフト再生の場合で説明する。
【００２６】
図２は、本実施形態の動作例を表すフローチャートであり、このフローチャートに基づいて、タイムシフト再生中にその再生信号を記録するための動作について説明をする。
【００２７】
まず、ＨＤＤ１２内の記録媒体にユーザーにより設定された所定時間分の番組を記録できるだけのバッファ領域を確保する。電源投入後や受信チャンネルの変更等入力ソースが変更された後、入力されるデジタル信号あるいはアナログ信号の番組等のデータをバッファ領域に記録スタートする（Ｓ１）。ユーザーにより設定された時間分（バッファ領域いっぱいまで）記録されると（Ｓ２：Ｙｅｓ）、領域内の最も古いデータ部分が消去され（Ｓ３）、その部分に最新のデータを順次上書き記録する（Ｓ４）。このタイムシフト再生用のデータを記録している間に、操作部２２よりのタイムシフト再生操作情報を確認し（Ｓ５）タイムシフト再生モードでない場合は（Ｓ５：Ｎｏ）記録中止モード移行判別を行う（Ｓ６）。ここで、受信チャンネルの変更等によるバッファ領域の記録中止モードに移行すると（Ｓ６：Ｙｅｓ）バッファ領域のデータをクリアして（Ｓ７）処理が終了し（Ｓ８）、記録中止モードに移行しない場合は（Ｓ６：Ｎｏ）ステップＳ２に戻り、この動作を繰り返すことでバッファ領域の記録を継続する。
【００２８】
ステップＳ５において、操作部２２よりのタイムシフト再生操作情報が制御部２１に入力されると（Ｓ５：Ｙｅｓ）、ＳＷ３の切り換えやＴＳコントローラ１１をバッファ領域への記録を継続したままで同時に再生するタイムシフト再生モードにする制御を行い（Ｓ９）、ＨＤＤ１２内のバッファ領域から読み出されたデータが、ＴＳコントローラ１１により所定のストリーム変換処理を施された後、ＴＳデコーダ１４により復号され、ＳＷ３を経由して外部に出力される。タイムシフト再生中はユーザーが設定した所定時間分の範囲で再生することができ、操作部２２の「早戻し再生」等の操作により実際に放送されている番組に対して所定時間分まで遡って再生することが可能となっている。
【００２９】
このタイムシフト再生中の状態にて、操作部２２に備えられた録画ボタンの操作情報がない場合（Ｓ１０：Ｎｏ）はステップＳ２に戻りバッファ領域への記録を継続したままタイムシフト再生も継続する。録画ボタンの操作情報が入力された場合は（Ｓ１０：Ｙｅｓ）、上述と同様にバッファ領域への記録もタイムシフト再生も停止することなく継続したままで、更にバッファ領域から読み出されたデータがＴＳコントローラ１１内のハイビジョン信号検出部によりハイビジョン信号であるかどうかが判別される（Ｓ１１）。ハイビジョン信号であれば（Ｓ１１：Ｙｅｓ）、ＴＳコントローラ１１で所定のストリーム変換処理を施され、タイムシフト再生中の番組データがＢＤ装置１３内の記録媒体にダビング記録される（Ｓ１２）。図１では点線１３ａで示したとおりであり、ＴＳコントローラ１１によりＨＤＤ１２内のバッファ領域から読み出したタイムシフト再生中の再生信号をＢＤ装置１３内の記録媒体に記録する。
【００３０】
しかし、ハイビジョン信号でない場合は（Ｓ１１：Ｎｏ）、ＴＳコントローラ１１から出力された後、ＴＳデコーダ１４により復号された復号アナログ信号として、選択スイッチＳＷ３、ＳＷ１を適宜切り換えて、ＴＳ／ＰＳエンコーダ１５に入力される。更に、ＴＳ／ＰＳエンコーダ１５でＰＳ方式へ符号化された後、ＰＳコントローラ１６で所定のストリーム変換処理を施されて、タイムシフト再生中の番組データがＤＶＤ装置１７内の記録媒体にダビング記録される（Ｓ１３）。
【００３１】
このタイムシフト再生中の再生信号を録画中に操作部２２よりの録画停止操作情報が入力されると（Ｓ１４：Ｙｅｓ）、録画のみの停止処理を行う（Ｓ１５）ことでタイムシフト再生中に目的の番組を希望する所まで確実にダビング記録することができる。そして、ステップＳ２に戻りこの動作を繰り返すことでバッファ領域への記録もタイムシフト再生も停止せず継続したままとできる。
【００３２】
上述のように、タイムシフト再生中の再生信号を記録する場合、最初からＢＤ装置１３やＤＶＤ装置１７内の交換可能なディスクである記録媒体に記録するので、保存するためのダビング等の手間を省くことができる。
【００３３】
また、タイムシフト再生している信号がハイビジョン信号か否かにより、ＢＤ装置１３内の記録媒体かＤＶＤ装置１７内の記録媒体に効率よく仕分けて記録できるので、ディスク保存時の整理がしやすいなど、利便性がよくなる。
【００３４】
なお、ＢＤ装置１３またはＤＶＤ装置１７内にディスクが未挿入であったり記録容量が不足しているなど記録できないような状態であったときは、記録可能な別の装置に記録するようにすることで、ユーザーの利便性が更に良くなる。また、上述ではタイムシフト再生中の再生信号がハイビジョン信号か否かによってダビングする記録媒体を切り換えたが、タイムシフト再生の番組がハイビジョン信号であっても上述のＤＶＤ装置１７内の記録媒体に記録する方法と同じ動作フローで行うことで、ＤＶＤ装置１７内の記録媒体にダウンコンバートして記録することができる。
【００３５】
また、この実施例においては、ＢＤ装置１３とＤＶＤ装置１７の両方を備えた例で説明しているが、ＢＤ装置１３またはＤＶＤ装置１７のどちらかを備えた記録再生装置であっても同様の効果を得られることは当然のことである。
【００３６】
更に、タイムシフト再生中の番組の記録先をＢＤ装置１３内の記録媒体か、ＤＶＤ装置内の記録媒体にするかは、ハイビジョン信号検出部の結果により選択決定しているが、操作部２２に専用のＢＤ録画ボタン、ＤＶＤ録画ボタンを設けることや録画先選択ボタン等により記録先をユーザーに選択させてもよい。ＢＤ録画ボタンが押されればＢＤ装置１３内の記録媒体に記録し、ＤＶＤ録画ボタンが押されればＤＶＤ装置１７内の記録媒体に記録するように制御してもよい。
【００３７】
また、この実施例においてタイムシフト再生信号を記録する装置としては、ＢＤ装置１３やＤＶＤ装置１７を例に説明しているが、タイムシフト再生しているＨＤＤ１２である同一装置に記録することとしてもよい。この場合は、ＢＤ装置１３に記録するのと同様に、ＴＳコントローラ１１で所定のストリーム変換処理が施され、タイムシフト再生中の番組データがＨＤＤ１２に記録される。図１の点線１２ａで示したとおり、ＴＳコントローラ１１によりＨＤＤ１２内のバッファ領域から読み出したタイムシフト再生中の再生信号をＨＤＤ１２内にあるバッファ領域とは別の記録領域に記録する。
【００３８】
更に、タイムシフト再生を行う記録媒体制御装置はＨＤＤ１２を例として説明しているが、ＢＤ装置１３やＤＶＤ装置１７でタイムシフト再生を行う装置であっても同様の効果を有することは当然のことである。
【図面の簡単な説明】
【００３９】
【図１】本発明の実施形態に係る記録再生装置の主要な構成を示すブロック図である。
【図２】本発明の動作例を表すフローチャートである。
【図３】従来の動作例を表すフローチャートである。
【符号の説明】
【００４０】
１１  ＴＳコントローラ（ストリーム変換）
１２  ＨＤＤ
１３  ＢＤ装置
１４  ＴＳデコーダ
１５  ＴＳ／ＰＳエンコーダ
１６  ＰＳコントローラ（ストリーム変換）
１７  ＤＶＤ装置
１８  ＰＳデコーダ
【図１】
2006331576.tif 000003
【図２】
2006331576.tif 000004
【図３】
2006331576.tif 000005